(57)【要約】      （修正有）【課題】電子メールを利用し、購入者によるクレジットカードによる商品購入代金の決済処理の簡略容易化を実現する通信ネットワークを利用したクレジット決済システムを提供する。【解決手段】管理サーバ２は、商品ユーザ端末２１からの要求に応じて、トップページ、商品情報入力用のリンク作成ページ及びクレジット決済画面リンク用のＵＲＬ生成プログラムを商品ユーザ端末２１に提供し、商品ユーザ端末２１は、リンク作成ページに商品情報を入力すると同時に前記ＵＲＬ生成プログラムによりクレジット決済画面リンク用のＵＲＬを自動生成して、商品情報を含んだ電子メールに貼り付けて購入者端末２２に送信し、購入者端末２２は、商品ユーザ端末２１から送信される電子メールから商品を選択しＵＲＬをクリックすることで、クレジット決済画面を表示させ、クレジットカード情報の入力により、金融機関サーバ２３に対する商品の決済処理を行う。【選択図】図１
2011076356.tif 000002
【特許請求の範囲】
【請求項１】
任意数のユーザ用の電子メールを管理する管理サーバと、管理サーバによる管理の下に電子メールにて購入者に商品案内を行う商品ユーザ端末と、前記電子メールに掲載されている商品を購入する購入者が利用する購入者端末と、購入者に対する商品代金決済を行う金融機関サーバと、これらを接続する通信ネットワークとを有する通信ネットワークを利用したクレジット決済システムであって、
前記管理サーバは、前記商品ユーザ端末からの要求に応じて、トップページ、商品情報入力用のリンク作成ページ及びクレジット決済画面リンク用のリンク情報生成プログラムを前記商品ユーザ端末に提供し、
前記商品ユーザ端末は、前記リンク作成ページに商品情報を入力すると同時に前記リンク情報生成プログラムによりクレジット決済画面リンク用のリンク情報を自動生成して、商品情報を含んだ電子メールに貼り付けて購入者端末に送信し、
前記購入者端末は、商品ユーザ端末から送信された商品情報を含んだ電子メールから商品を選択し前記リンク情報をクリックすることで、クレジット決済画面を表示させ、クレジットカード情報の入力により、前記金融機関サーバに対する当該商品の決済処理を行うように構成したこと、
を特徴とする通信ネットワークを利用したクレジット決済システム。
【請求項２】
任意数のユーザ用の電子メールを管理する管理サーバと、管理サーバによる管理の下に電子メールにて購入者に商品案内を行う商品ユーザ端末と、前記電子メールに掲載されている商品を購入する購入者が利用する購入者端末と、購入者に対する商品代金決済を行う金融機関サーバと、これらを接続する通信ネットワークとを有する通信ネットワークを利用したクレジット決済システムであって、
前記管理サーバは、前記商品ユーザ端末からの要求に応じて、トップページ、商品情報入力用のリンク作成ページ及びクレジット決済画面リンク用のＵＲＬ生成プログラムを前記商品ユーザ端末に提供し、
前記商品ユーザ端末は、前記リンク作成ページに商品情報を入力すると同時に前記ＵＲＬ生成プログラムによりクレジット決済画面リンク用のＵＲＬを自動生成して、商品情報を含んだ電子メールに貼り付けて購入者端末に送信し、
前記購入者端末は、商品ユーザ端末から送信された商品情報を含んだ電子メールから商品を選択し前記ＵＲＬをクリックすることで、クレジット決済画面を表示させ、クレジットカード情報の入力により、前記金融機関サーバに対する当該商品の決済処理を行うように構成したこと、
を特徴とする通信ネットワークを利用したクレジット決済システム。
【請求項３】
任意数のユーザ用の電子メールを管理する管理サーバと、管理サーバによる管理の下に電子メールにて購入者に商品案内を行う商品ユーザ端末と、前記電子メールに掲載されている商品を購入する購入者が利用する購入者端末と、購入者に対する商品代金決済を行う金融機関サーバと、これらを接続する通信ネットワークとを有する通信ネットワークを利用したクレジット決済システム用のプログラムであって、
前記管理サーバに、商品ユーザ端末からの要求に応じて、トップページ、商品情報入力用のリンク作成ページ及びクレジット決済画面リンク用のＵＲＬ生成プログラムを提供する処理を実行させ、
前記商品ユーザ端末に、前記リンク作成ページに商品情報を入力すると同時に前記クレジット決済画面リンク用のＵＲＬを自動生成する処理を実行させ、
前記購入者端末に、商品ユーザ端末から送信された商品情報を含んだ電子メールから商品を選択し前記ＵＲＬをクリックすることで、クレジット決済画面を表示させる処理を実行させること、
を特徴とする通信ネットワークを利用したクレジット決済システム用のプログラム。
【請求項４】
任意数のユーザ用のウェブログを管理するウェブログ管理サーバと、管理サーバによる管理の下に商品情報を含んだウェブログを掲載するウェブログ利用商品ユーザ端末と、前記ウェブログに掲載されている商品を購入する購入者が利用する購入者端末と、購入者に対する商品代金決済を行う金融機関サーバと、これらを接続する通信ネットワークとを有する通信ネットワークを利用したクレジット決済システムであって、
前記ウェブログ管理サーバは、前記ウェブログ利用商品ユーザ端末からの要求に応じて、ウェブログトップページ、商品情報入力用のリンク作成ページ及びクレジット決済画面リンク用のリンク情報生成プログラムを前記ウェブログ利用商品ユーザ端末に提供し、
前記ウェブログ利用商品ユーザ端末は、前記リンク作成ページに商品情報を入力すると同時に前記リンク情報生成プログラムによりクレジット決済画面リンク用のリンク情報を自動生成して、商品情報を含んだウェブログの購入ボタンにリンクさせ、
前記購入者端末は、ウェブログ利用商品ユーザ端末が提供する商品情報を含んだウェブログから商品を選択し購入ボタンを押すことで、クレジット決済画面を表示させクレジットカード情報の入力により、前記金融機関サーバに対する当該商品の決済処理を行うように構成したこと、
を特徴とする通信ネットワークを利用したクレジット決済システム。
【請求項５】
任意数のユーザ用のウェブログを管理するウェブログ管理サーバと、管理サーバによる管理の下に商品情報を含んだウェブログを掲載するウェブログ利用商品ユーザ端末と、前記ウェブログに掲載されている商品を購入する購入者が利用する購入者端末と、購入者に対する商品代金決済を行う金融機関サーバと、これらを接続する通信ネットワークとを有する通信ネットワークを利用したクレジット決済システムであって、
前記ウェブログ管理サーバは、前記ウェブログ利用商品ユーザ端末からの要求に応じて、ウェブログトップページ、商品情報入力用のリンク作成ページ及びクレジット決済画面リンク用のＵＲＬ生成プログラムを前記ウェブログ利用商品ユーザ端末に提供し、
前記ウェブログ利用商品ユーザ端末は、前記リンク作成ページに商品情報を入力すると同時に前記ＵＲＬ生成プログラムによりクレジット決済画面リンク用のＵＲＬを自動生成して、商品情報を含んだウェブログの購入ボタンにリンクさせ、
前記購入者端末は、ウェブログ利用商品ユーザ端末が提供する商品情報を含んだウェブログから商品を選択し購入ボタンを押すことで、クレジット決済画面を表示させクレジットカード情報の入力により、前記金融機関サーバに対する当該商品の決済処理を行うように構成したこと、
を特徴とする通信ネットワークを利用したクレジット決済システム。
【請求項６】
任意数のユーザ用のウェブログを管理するウェブログ管理サーバと、管理サーバによる管理の下に商品情報を含んだウェブログを掲載するウェブログ利用商品ユーザ端末と、前記ウェブログに掲載されている商品を購入する購入者が利用する購入者端末と、購入者に対する商品代金決済を行う金融機関サーバと、これらを接続する通信ネットワークとを有する通信ネットワークを利用したクレジット決済システム用のプログラムであって、
前記ウェブログ管理サーバに、前記ウェブログ利用商品ユーザ端末からの要求に応じて、ウェブログトップページ、商品情報入力用のリンク作成ページ及びクレジット決済画面リンク用のＵＲＬ生成プログラムを提供する処理を実行させ、
前記ウェブログ利用商品ユーザ端末に、前記リンク作成ページに商品情報を入力すると同時に前記ＵＲＬ生成プログラムによりクレジット決済画面リンク用のＵＲＬを自動生成して、商品情報を含んだウェブログの購入ボタンにリンクさせる処理を実行させ、
前記購入者端末に、ウェブログ利用商品ユーザ端末が提供する商品情報を含んだウェブログから商品を選択し購入ボタンを押すことで、クレジット決済画面を表示させる処理を実行させること、
を特徴とする通信ネットワークを利用したクレジット決済システム用のプログラム。
【発明の詳細な説明】
【技術分野】
【０００１】
本発明は、通信ネットワークを利用したクレジット決済システムに関し、詳しくは、通信ネットワークを利用する電子メールやウェブログ（Ｗｅｂｌｏｇ）による極めて簡略で操作性の良い通信ネットワークを利用したクレジット決済システム及び該システム用のプログラムに関するするものである。
【背景技術】
【０００２】
近年、インターネットなどの通信ネットワークを利用した電子商取引サービスが多用され、Ｗｅｂサイトを介して消費者に各種商品などを販売する電子商店、Ｗｅｂサイト上でオークションを行うオンラインオークション、更には、電子メールを利用した商品販売も行われている。
【０００３】
また、通信ネットワークの普及につれて、多くの人が簡易Ｗｅｂサイトともいうべきウェブログを利用するようになり、このウェブログを利用した商品販売も行われている。
【０００４】
このような電子メールやウェブログを利用した商品取引においては、クレジットカードによる商品購入代金の決済処理が殆どであり、購入者の立場からするとクレジットカードによる商品購入代金の決済処理が簡略容易であることが望ましい。
【０００５】
特許文献１には、本発明に関連する技術として、携帯電話の画面に表示されるメール本文のＵＲＬ（ユーアールエル；uniform resource locator）をクリックすることにより、決済画面を表示させ携帯電話の利用料金のクレジットカード決済を行うようにした携帯電話を用いたクレジットカード決済システムが提案されている。
【０００６】
また、特許文献２には、本発明に関連する技術として、ウェブログ画面上に、少なくとも、商品識別情報と関連付けられた決済用のアイコンを表示するウェブログ画面を生成し、前記アイコンを利用して商品代金の決済を行うようにした技術が提案されている。
【０００７】
しかし、特許文献１、２のいずれも、商品販売者側で商品情報を入力すると同時にクレジット決済画面リンク用のリンク情報であるＵＲＬを自動生成させ、購入者のクレジットカードによる商品購入代金の決済処理の簡略容易化を図るような技術は開示していない。
【先行技術文献】
【特許文献】
【０００８】
【特許文献１】特開２００７−２４１８８３号公報
【特許文献２】特開２００７−１４０９８２号公報
【発明の概要】
【発明が解決しようとする課題】
【０００９】
本発明が解決しようとする問題点は、商品販売者側で商品情報を入力すると同時にクレジット決済画面リンク用のリンク情報を自動生成させ、電子メールにて購入者へ送信することで、購入者によるクレジットカードによる商品購入代金の決済処理の簡略容易化を実現し得るような通信ネットワークを利用したクレジット決済システムが存在しない点である。
【課題を解決するための手段】
【００１０】
本発明に係る通信ネットワークを利用したクレジット決済システムは、任意数のユーザ用の電子メールを管理する管理サーバと、管理サーバによる管理の下に電子メールにて購入者に商品案内を行う商品ユーザ端末と、前記電子メールに掲載されている商品を購入する購入者が利用する購入者端末と、購入者に対する商品代金決済を行う金融機関サーバと、これらを接続する通信ネットワークとを有する通信ネットワークを利用したクレジット決済システムであって、前記管理サーバは、前記商品ユーザ端末からの要求に応じて、トップページ、商品情報入力用のリンク作成ページ及びクレジット決済画面リンク用のリンク情報生成プログラムを前記商品ユーザ端末に提供し、前記商品ユーザ端末は、前記リンク作成ページに商品情報を入力すると同時に前記リンク情報生成プログラムによりクレジット決済画面リンク用のリンク情報を自動生成して、商品情報を含んだ電子メールに貼り付けて購入者端末に送信し、前記購入者端末は、商品ユーザ端末から送信された商品情報を含んだ電子メールから商品を選択し前記リンク情報をクリックすることで、クレジット決済画面を表示させ、クレジットカード情報の入力により、前記金融機関サーバに対する当該商品の決済処理を行うように構成したことを最も主要な特徴とする。
【発明の効果】
【００１１】
請求項１、２記載の発明によれば、商品販売者側でリンク作成画面にて商品情報を入力すると同時にクレジット決済画面リンク用のリンク情報であるＵＲＬを自動生成させ、電子メールにて購入者端末へ送信するように構成したことから、購入者は前記リンク情報であるＵＲＬをクリックするだけで、クレジット決済画面を速やかに表示させクレジットカードによる商品購入代金の決済処理を行うことができ、購入者のクレジット決済処理の簡略容易化を実現することが可能な斬新なクレジット決済システムを実現し提供することができる。
【００１２】
請求項３記載の発明によれば、上記作用、効果を奏する電子メールを主体とするクレジット決済システムを実現できるプログラムを実現し提供することができる。
【００１３】
請求項４、５記載の発明によれば、商品販売者側でリンク作成画面にて商品情報を入力すると同時にクレジット決済画面リンク用のリンク情報であるＵＲＬを自動生成させ、ウェブログ画面にアクセスした購入者が購入者端末の画面上で商品を選択し、ＵＲＬにリンクしている購入ボタンをクリックすることでクレジットカード決済画面を表示させるように構成したので、購入者のクレジット決済処理の簡略容易化を実現することができる従来にないクレジット決済システム１Ａを実現し提供することができる。
【００１４】
請求項６記載の発明によれば、上記作用、効果を奏するウェブログを主体とするクレジット決済システムを実現できるプログラムを実現し提供することができる
【図面の簡単な説明】
【００１５】
【図１】図１は本発明の実施例１に係る通信ネットワークを利用したクレジット決済システムの全体構成を示す概略ブロック図である。
【図２】図２は本実施例１に係るクレジット決済システムにおける管理サーバの構成を示す概略ブロック図である。
【図３】図３は本実施例１に係るクレジット決済システムにおける管理サーバから商品ユーザ端末に提供されるトップ画面を示す図である。
【図４】図４は本実施例１に係るクレジット決済システムにおけるログイン画面を示す図である。
【図５】図５は本実施例１に係るクレジット決済システムにおけるリンク作成画面を示す図である。
【図６】図６は本実施例１に係るクレジット決済システムにおけるリンク作成画面にて生成したＵＲＬの画面表示例を示す図である。
【図７】図７は生成したＵＲＬを購入者端末宛用の電子メール画面に貼り付けた状態を示す図である。
【図８】図８は商品ユーザ端末から購入者端末に送信されたＵＲＬ、商品情報付の電子メール画面を示す図である。
【図９】図９は図８の電子メール画面で購入者がＵＲＬをクリックしたとき自動的に購入者端末にリンク表示されるクレジットカード決済画面を示す図である。
【図１０】図１０は本発明の実施例２に係る通信ネットワークを利用したクレジット決済システムの全体構成を示す概略ブロック図である。
【図１１】図１１は本実施例２に係るクレジット決済システムにおける管理サーバの構成を示す概略ブロック図である。
【図１２】図１２は本実施例２に係るクレジット決済システムにおける管理サーバから商品ユーザ端末に提供されるトップ画面を示す図である。
【図１３】図１３は本実施例２に係るクレジット決済システムにおけるログイン画面を示す図である。
【図１４】図１４は本実施例２に係るクレジット決済システムにおけるリンク作成画面にて生成したウェブログ画面の購入ボタンにリンクさせるＵＲＬの画面表示例を示す図である。
【図１５】図１５はブログの更新画面の記事入力欄に生成したＵＲＬを貼り付けた状態を示す図である。
【図１６】図１６はブログの更新後の商品情報、購入ボタンが付された画面表示例を示す図である。
【図１７】図１７は図１６に示す画面で購入者が購入ボタンをクリックしたとき自動的に購入者端末にリンク表示されるクレジットカード決済画面を示す図である。
【発明を実施するための形態】
【００１６】
本発明は、商品販売者側で商品情報を入力すると同時にクレジット決済画面リンク用のリンク情報であるＵＲＬを自動生成させ、電子メールにて購入者へ送信することで、購入者によるクレジットカードによる商品購入代金の決済処理の簡略容易化を実現するネットワークを利用したクレジット決済システムを実現し提供するという目的を、任意数のユーザ用の電子メールを管理する管理サーバと、管理サーバによる管理の下に電子メールにて購入者に商品案内を行う商品ユーザ端末と、前記電子メールに掲載されている商品を購入する購入者が利用する購入者端末と、購入者に対する商品代金決済を行う金融機関サーバと、これらを接続する通信ネットワークとを有する通信ネットワークを利用したクレジット決済システムであって、前記管理サーバは、前記商品ユーザ端末からの要求に応じて、トップページ、商品情報入力用のリンク作成ページ及びクレジット決済画面リンク用のＵＲＬ生成プログラムを前記商品ユーザ端末に提供し、前記商品ユーザ端末は、前記リンク作成ページに商品情報を入力すると同時に前記ＵＲＬ生成プログラムによりクレジット決済画面リンク用のＵＲＬを自動生成して、商品情報を含んだ電子メールに貼り付けて購入者端末に送信し、前記購入者端末は、商品ユーザ端末から送信された商品情報を含んだ電子メールから商品を選択し前記ＵＲＬをクリックすることで、クレジット決済画面を表示させ、クレジットカード情報の入力により、前記金融機関サーバに対する当該商品の決済処理を行うように構成したことにより実現した。
【実施例１】
【００１７】
以下に本発明の実施例１に係る通信ネットワークを利用したクレジット決済システム１について、図１乃至図９を参照して説明する。
【００１８】
本発明の実施例１に係る通信ネットワークを利用したクレジット決済システム１（以下「クレジット決済システム１」という）は、主として電子メールを使用し、購入者が商品購入、クレジットカードによる代金決済を簡略容易に行うシステムである。
【００１９】
本実施例１に係るクレジット決済システム１は、図１に示すように、例えば各々商品販売を行う任意数のユーザが所有する商品ユーザ端末２１における電子メール運用を管理し、クレジットカードによる代金決済処理を行うサイトを運営する管理サーバ２と、該管理サーバ２による管理の下に電子メールにて購入者に商品案内を行う前記商品ユーザ端末２１と、例えば前記電子メールに掲載されている商品を購入する購入者が利用する購入者端末２２と、購入者に対する商品代金決済を行う決済処理部２４を備えた金融機関サーバ２３と、これらを通信可能に接続する通信ネットワークＮ（例えばインターネット網）とを有している。
【００２０】
また、前記通信ネットワークＮには、複数のメールサーバ３１、３２、３３が接続されて、各々クレジット決済システム１における通信ネットワークＮ上で送受信される電子メールの配信、保管等を実行する。
【００２１】
前記管理サーバ２は、コンピュータにより構成されており、図２に示すように、ＣＰＵ（Ｃｅｎｔｒａｌ  Ｐｒｏｃｅｓｓｉｎｇ  Ｕｎｉｔ）、ＣＰＵが実行するコンピュータプログラム、商品ユーザ端末２１に提供するＵＲＬ生成プログラム等を記憶するためのＲＡＭ、ＲＯＭなどの内部メモリ、ハードディスク等の外部メモリによって、機能的に、全体の制御を行う制御部１０、商品ユーザ端末管理部１１、購入者情報管理部１２、商品情報管理部１３、購入者のクレジットカード情報管理部１４、金融機関サーバ２３との間で決済処理を行う決済処理部１５、任意数のユーザが所有する商品ユーザ端末２１における電子メールを管理する電子メール管理部１６を構成している。
【００２２】
また、前記管理サーバ２は、通信ネットワークＮを経由しての各種情報の送受信を行う通信処理部１７、キーボードのようなデータ入力部１８、液晶ディスプレイのような表示部１９を備えている。
【００２３】
更に、前記管理サーバ２は、予め管理サーバ２のサイトＩＤ、パスワードを取得した商品ユーザ端末２１からの要求に応じて、トップページ、商品情報入力用のリンク作成ページ及びクレジット決済画面リンク用のリンク情報であるＵＲＬを生成するＵＲＬ生成プログラムを前記商品ユーザ端末２１に提供するようになっている。
【００２４】
前記通信処理部１７は、所定のプロトコルに基づき、商品ユーザ端末２１、購入者端末２２及び金融機関サーバ２３との通信ネットワークＮを経由した各種情報通信処理を実行する。
【００２５】
次に、本実施例１に係るクレジット決済システム１による電子メールを利用したクレジット決済処理について、図３乃至図９をも参照して説明する。
【００２６】
前記商品ユーザ端末２１を所有する商品ユーザが、管理サーバ２の運用サイトにアクセスし、図３に示すトップ画面を画面表示した後、ログインボタンをクリックすると、図４に示す商品ユーザ端末２１の画面は図４に示すログイン画面に切り替わる。
【００２７】
前記ログイン画面において、当該商品ユーザは、サイトＩＤ、パスワードを入力し、ログインボタンをクリックすると、商品ユーザ端末２１の画面として図５に示すリンク作成画面が表示される。
【００２８】
また、このとき、クレジット決済画面リンク用のリンク情報であるＵＲＬを生成するＵＲＬ生成プログラムが管理サーバ２から商品ユーザ端末２１に提供される。
【００２９】
当該商品ユーザは、図５に示すリンク作成画面において、「商品ＩＤ」の欄には独自に管理番号を付け、「商品名」の欄には例えばパソコン等のような商品名を入力し、「金額」の欄に商品代金を入力し、更に、「有効期限」の欄に決済用ＵＲＬの有効期限を設定する。
【００３０】
そして、上記各情報入力後、図５に示すリンク作成画面における生成ボタンを当該商品ユーザがクリックすると、前記ＵＲＬ生成プログラムに基づき、図６に示すように、例えば、ｈｔｔｐ：／／ｗｗｗ．ｘｘｘｘｘのようなクレジット決済画面リンク用ＵＲＬが自動生成される。
【００３１】
次に、当該商品ユーザは、商品ユーザ端末２１のメール機能を利用して、例えば特定の購入者端末２２宛の電子メール画面を開き、例えばメール本文欄に上述のようにして生成したＵＲＬを図７に示すようにコピー・ペーストする。
【００３２】
また、当該商品ユーザはＵＲＬが付されたメール本文欄に、更に商品情報を付して図８に示す態様の電子メールを当該購入者端末２２宛に送信する。
【００３３】
この電子メールを受信した購入者が、電子メール画面上の商品情報から購入しようとする商品を選択し、次に前記ＵＲＬをクリックすると、図９に示すように、このＵＲＬにリンクさせたクレジットカード決済画面が自動的に表示される。
【００３４】
このようにして、購入者端末２２上のクレジットカード決済画面にて、購入者は自己のクレジットカード情報を入力し、送信ボタンをクリックすることにより、前記管理サーバ２の管理下で金融機関サーバ２３との間の当該商品に関するクレジット決済処理が実行される。
【００３５】
このクレジット決済完了後において、前記管理サーバ２から購入者端末２２、商品ユーザ端末２１の双方宛に完了メールが送信される。
【００３６】
なお、上述した場合の他、購入者がメール送信されたクレジット決済用のＵＲＬをブラウザのアドレスバーにコピー・ペーストすることでクレジット決済画面が表示される構成とすることもできる。
【００３７】
以上説明した本実施例１によれば、商品販売者側でリンク作成画面にて商品情報を入力すると同時にクレジット決済画面リンク用のリンク情報であるＵＲＬを自動生成させ、電子メールにて購入者端末へ送信するように構成したことから、購入者は前記ＵＲＬをクリックするクレジット決済画面を速やかに表示させクレジットカードによる商品購入代金の決済処理を行うことができ、購入者のクレジット決済処理の簡略容易化を実現することができる従来にないクレジット決済システム１を実現し提供することができる。
【実施例２】
【００３８】
次に、本発明の実施例２に係る通信ネットワークを利用したクレジット決済システム１Ａについて、図１０乃至図１７を参照して説明する。
【００３９】
なお、本実施例２に係るクレジット決済システム１Ａにおいて、実施例１に係るクレジット決済システム１の場合と同一要素には、同一符号を付して示す。
【００４０】
本実施例２に係るクレジット決済システム１Ａは、図１０に示すように、例えば各々商品販売を行う任意数のユーザが所有するウェブログ利用商品ユーザ端末４１におけるウェブログ運用を管理し、クレジットカードによる代金決済処理を行うサイトを運営するウェブログ管理サーバ４２と、該ウェブログ管理サーバ４２による管理の下にウェブログにて購入者に商品案内を行う前記ウェブログ利用商品ユーザ端末４１と、例えば前記ウェブログに掲載されている商品を購入する購入者が利用する購入者端末２２と、購入者に対する商品代金決済を行う決済処理部２４を備えた金融機関サーバ２３と、これらを通信可能に接続する通信ネットワークＮ（例えばインターネット網）とを有している。
【００４１】
前記ウェブログ管理サーバ４２は、コンピュータにより構成されており、図１１に示すように、機能的に、全体の制御を行う制御部１０、商品ユーザ端末管理部１１、購入者情報管理部１２、商品情報管理部１３、購入者のクレジットカード情報管理部１４、金融機関サーバ２３との間で決済処理を行う決済処理部１５、ウェブログ管理部２０を構成している。
【００４２】
また、前記ウェブログ管理サーバ４２は、通信ネットワークＮを経由しての各種情報の送受信を行う通信処理部１７、キーボードのようなデータ入力部１８、液晶ディスプレイのような表示部１９を備えている。
【００４３】
前記ウェブログ管理部２０は、任意数のウェブログ利用商品ユーザ端末４１を各々利用する任意数の各ユーザが所有するウェブログをデータベース化したものであって、当該ウェブログは、所有者である各ユーザのユーザＩＤと関連付けて記憶し管理している。
【００４４】
また、前記ウェブログ管理サーバ４２は、通信ネットワークＮを経由しての各種情報の送受信を行う通信処理部１７、キーボードのようなデータ入力部１８、液晶ディスプレイのような表示部１９を備えている。
【００４５】
更に、前記ウェブログ管理サーバ４２は、実施例１の場合と同様、予め管理サーバ２のサイトＩＤ、パスワードを取得した商品ユーザ端末２１からの要求に応じて、トップページ、商品情報入力用のリンク作成ページ及びクレジット決済画面リンク用のリンク情報であるＵＲＬを生成するＵＲＬ生成プログラムを前記商品ユーザ端末２１に提供するようになっている。
【００４６】
次に、本実施例２に係るクレジット決済システム１Ａによるウェブログを利用したクレジット決済処理について、図１２乃至図１７をも参照して説明する。
【００４７】
前記ウェブログ利用商品ユーザ端末４１を利用する商品ユーザが、ウェブログ管理サーバ４２の運用サイトにアクセスして、図１２に示すトップ画面を画面表示した後、ログインボタンをクリックすると、図１２に示す画面は、図１３に示すログイン画面に切り替わる。
前記ログイン画面において、当該商品ユーザは、サイトＩＤ、パスワードを入力し、ログインボタンをクリックすると、ウェブログ利用商品ユーザ端末４１の画面として図１４に示すリンク作成画面が表示される。
【００４８】
また、このとき、クレジット決済画面リンク用のリンク情報であるＵＲＬを生成するＵＲＬ生成プログラムがウェブログ管理サーバ４２からウェブログ利用商品ユーザ端末４１に提供される。
【００４９】
当該商品ユーザは、図５に示すリンク作成画面において、「商品ＩＤ」の欄には独自に管理番号を付け、「商品名」の欄には例えばパソコン等のような商品名を入力し、「金額」の欄には商品代金を入力し、更に、「有効期限」の欄に決済用ＵＲＬの有効期限を設定する。
【００５０】
更に、「ボタン文字色」の欄にブログ貼付用ボタンの文字色を設定し、「ボタン枠色」の欄にブログ貼付用ボタンの枠色を設定し、「ボタン背景色」の欄にブログ貼付用ボタンの背景色を設定する。
【００５１】
そして、上記各情報を入力後、リンク作成画面の余白部分をクリックすると、自動で例えば、ｈｔｔｐ：／／ｗｗｗ．ｘｘｘｘｘのようなクレジット決済用のＵＲＬが生成される。
【００５２】
次に、図１５に示すように、購入者のブログの管理画面へログインし、生成したＵＲＬを例えばエントリー欄へコピー・ペーストする。
【００５３】
そして、ブログ画面を更新すると、図１６に示すように、商品記事とともに購入ボタンが表示される。
【００５４】
更に、ブログ画面にアクセスした購入者が購入者端末２２の画面上で商品を選択し、ＵＲＬにリンクしている購入ボタンを押すと、画面は自動的に、図１７に示すようなクレジットカード決済画面へ移動する。
【００５５】
このクレジットカード決済画面にて、購入者は自己のクレジットカード情報を入力して、入力確認ボタンをクリックすることで、金融機関サーバ２３との間でクレジット決済処理が実行される。
【００５６】
このクレジット決済完了後において、前記ウェブログ管理サーバ４２から購入者端末２２、ウェブログ利用商品ユーザ端末４１の双方宛に完了メールが送信される。
【００５７】
以上説明した本実施例２によれば、商品販売者側でリンク作成画面にて商品情報を入力すると同時にクレジット決済画面リンク用のリンク情報であるＵＲＬを自動生成させ、ウェブログ画面にアクセスした購入者が購入者端末２２の画面上で商品を選択し、ＵＲＬにリンクしている購入ボタンをクリックすることでクレジットカード決済画面を表示させるように構成したので、購入者は前記購入ボタンをクリックするだけの簡略操作でクレジットカード決済画面を速やかに表示させクレジットカードによる商品購入代金の決済処理を行うことができ、購入者のクレジット決済処理の簡略容易化を実現することができる従来にないクレジット決済システム１Ａを実現し提供することができる。
【産業上の利用可能性】
【００５８】
本発明のクレジット決済システムは、購入者側にとって電子メール機能又はウェブログ処理機能を有するコンピュータ、携帯電話その他の携帯型通信情報機器を使用した簡略で操作性のよいクレジットカード決済システムとして広範に活用可能である。
【符号の説明】
【００５９】
１    通信ネットワークを利用したクレジット決済システム
１Ａ  通信ネットワークを利用したクレジット決済システム
２    管理サーバ
１０    制御部
１１    商品ユーザ端末管理部
１２    購入者情報管理部
１３    商品情報管理部
１４    クレジットカード情報管理部
１５    決済処理部
１６    電子メール管理部
１７    通信処理部
１８    データ入力部
１９    表示部
２０    ウェブログ管理部
２１    商品ユーザ端末
２２    購入者端末
２３    金融機関サーバ
２４    決済処理部
３１    メールサーバ
４１    ウェブログ利用商品ユーザ端末
４１    商品ユーザ端末
４２    ウェブログ管理サーバ
【図１】
2011076356.tif 000003
【図２】
2011076356.tif 000004
【図９】
2011076356.tif 000005
【図１０】
2011076356.tif 000006
【図１１】
2011076356.tif 000007
【図１７】
2011076356.tif 000008
【図３】
2011076356.tif 000009
【図４】
2011076356.tif 000010
【図５】
2011076356.tif 000011
【図６】
2011076356.tif 000012
【図７】
2011076356.tif 000013
【図８】
2011076356.tif 000014
【図１２】
2011076356.tif 000015
【図１３】
2011076356.tif 000016
【図１４】
2011076356.tif 000017
【図１５】
2011076356.tif 000018
【図１６】
2011076356.tif 000019
【手続補正書】
【提出日】平成22年3月5日(2010.3.5)
【手続補正１】
【補正対象書類名】明細書
【補正対象項目名】００１０
【補正方法】変更
【補正の内容】
【００１０】
本発明に係る通信ネットワークを利用したクレジット決済システムは、任意数のユーザ用の電子メールを管理する管理サーバと、管理サーバによる管理の下に電子メールにて購入者に商品案内を行う商品ユーザ端末と、前記電子メールに掲載されている商品を購入する購入者が利用する購入者端末と、購入者に対する商品代金決済を行う金融機関サーバと、これらを接続する通信ネットワークとを有する通信ネットワークを利用したクレジット決済システムであって、前記管理サーバは、前記商品ユーザ端末からの要求に応じて、トップページ、商品情報入力用のリンク作成ページ及びクレジット決済画面リンク用のリンク情報生成プログラムを前記商品ユーザ端末に送信し、前記商品ユーザ端末は、商品ユーザが、商品ユーザ端末自体のメール機能を利用してメール本文欄に管理サーバから送信されたリンク情報生成プログラムにより生成したクレジット決済画面リンク用のリンク情報を貼り付けるとともに、メール本文欄に商品情報を付すことにより作成した電子メールを購入者端末に送信し、前記購入者端末は、商品ユーザ端末から送信された商品情報を含んだ電子メールから商品を選択し前記リンク情報をクリックすることで、クレジット決済画面を表示させ、クレジットカード情報の入力により、前記金融機関サーバに対する当該商品の決済処理を行うように構成したこと、を最も主要な特徴とする。
【手続補正２】
【補正対象書類名】明細書
【補正対象項目名】００１１
【補正方法】変更
【補正の内容】
【００１１】
請求項１、２記載の発明によれば、商品販売者側でリンク作成画面にて商品情報を入力すると同時にクレジット決済画面リンク用のリンク情報であるＵＲＬを自動生成させ、電子メールにて購入者端末へ送信するように構成したことから、購入者は商品を選択し、前記リンク情報であるＵＲＬをクリックするだけで、クレジット決済画面を速やかに表示させクレジットカードによる商品購入代金の決済処理を行うことができ、購入者のクレジット決済処理の簡略容易化を実現することが可能な斬新なクレジット決済システムを実現し提供することができる。
【手続補正３】
【補正対象書類名】明細書
【補正対象項目名】００１３
【補正方法】変更
【補正の内容】
【００１３】
請求項４、５記載の発明によれば、商品販売者側でリンク作成画面にて商品情報を入力すると同時にクレジット決済画面リンク用のリンク情報であるＵＲＬを自動生成させて、ウェブログを更新し、ウェブログ画面にアクセスした購入者が購入者端末の画面上で商品を選択し、ＵＲＬにリンクしている購入ボタンをクリックすることでクレジットカード決済画面を表示させるように構成したので、購入者のクレジット決済処理の簡略容易化を実現することができる従来にないクレジット決済システムを実現し提供することができる。
【手続補正４】
【補正対象書類名】明細書
【補正対象項目名】００１５
【補正方法】変更
【補正の内容】
【００１５】
【図１】図１は本発明の実施例１に係る通信ネットワークを利用したクレジット決済システムの全体構成を示す概略ブロック図である。
【図２】図２は本実施例１に係るクレジット決済システムにおける管理サーバの構成を示す概略ブロック図である。
【図３】図３は本実施例１に係るクレジット決済システムにおける管理サーバから商品ユーザ端末に送信されるトップ画面を示す図である。
【図４】図４は本実施例１に係るクレジット決済システムにおけるログイン画面を示す図である。
【図５】図５は本実施例１に係るクレジット決済システムにおけるリンク作成画面を示す図である。
【図６】図６は本実施例１に係るクレジット決済システムにおけるリンク作成画面にて生成したＵＲＬの画面表示例を示す図である。
【図７】図７は生成したＵＲＬを購入者端末宛用の電子メール画面に貼り付けた状態を示す図である。
【図８】図８は商品ユーザ端末から購入者端末に送信されたＵＲＬ、商品情報付の電子メール画面を示す図である。
【図９】図９は図８の電子メール画面で購入者がＵＲＬをクリックしたとき自動的に購入者端末にリンク表示されるクレジットカード決済画面を示す図である。
【図１０】図１０は本発明の実施例２に係る通信ネットワークを利用したクレジット決済システムの全体構成を示す概略ブロック図である。
【図１１】図１１は本実施例２に係るクレジット決済システムにおける管理サーバの構成を示す概略ブロック図である。
【図１２】図１２は本実施例２に係るクレジット決済システムにおける管理サーバから商品ユーザ端末に送信されるトップ画面を示す図である。
【図１３】図１３は本実施例２に係るクレジット決済システムにおけるログイン画面を示す図である。
【図１４】図１４は本実施例２に係るクレジット決済システムにおけるリンク作成画面にて生成したウェブログ画面の購入ボタンにリンクさせるＵＲＬの画面表示例を示す図である。
【図１５】図１５はブログの更新画面の記事入力欄に生成したＵＲＬを貼り付けた状態を示す図である。
【図１６】図１６はブログの更新後の商品情報、購入ボタンが付された画面表示例を示す図である。
【図１７】図１７は図１６に示す画面で購入者が購入ボタンをクリックしたとき自動的に購入者端末にリンク表示されるクレジットカード決済画面を示す図である。
【手続補正５】
【補正対象書類名】明細書
【補正対象項目名】００１６
【補正方法】変更
【補正の内容】
【００１６】
本発明は、商品販売者側で商品情報を入力すると同時にクレジット決済画面リンク用のリンク情報であるＵＲＬを自動生成させ、電子メールにて購入者へ送信することで、購入者によるクレジットカードによる商品購入代金の決済処理の簡略容易化を実現するネットワークを利用したクレジット決済システムを実現し提供するという目的を、任意数のユーザ用の電子メールを管理する管理サーバと、管理サーバによる管理の下に電子メールにて購入者に商品案内を行う商品ユーザ端末と、前記電子メールに掲載されている商品を購入する購入者が利用する購入者端末と、購入者に対する商品代金決済を行う金融機関サーバと、これらを接続する通信ネットワークとを有する通信ネットワークを利用したクレジット決済システムであって、前記管理サーバは、前記商品ユーザ端末からの要求に応じて、トップページ、商品情報入力用のリンク作成ページ及びクレジット決済画面リンク用のＵＲＬ生成プログラムを前記商品ユーザ端末に送信し、前記商品ユーザ端末は、商品ユーザが、商品ユーザ端末自体のメール機能を利用してメール本文欄に管理サーバから送信されたＵＲＬ生成プログラムにより生成したクレジット決済画面リンク用のＵＲＬを貼り付けるとともに、メール本文欄に商品情報を付すことにより作成した電子メールを購入者端末に送信し、前記購入者端末は、商品ユーザ端末から送信された商品情報を含んだ電子メールから商品を選択し前記ＵＲＬをクリックすることで、クレジット決済画面を表示させ、クレジットカード情報の入力により、前記金融機関サーバに対する当該商品の決済処理を行うように構成したことにより実現した。
【手続補正６】
【補正対象書類名】明細書
【補正対象項目名】００２１
【補正方法】変更
【補正の内容】
【００２１】
前記管理サーバ２は、コンピュータにより構成されており、図２に示すように、ＣＰＵ（Ｃｅｎｔｒａｌ  Ｐｒｏｃｅｓｓｉｎｇ  Ｕｎｉｔ）、ＣＰＵが実行するコンピュータプログラム、商品ユーザ端末２１に送信するＵＲＬ生成プログラム等を記憶するためのＲＡＭ、ＲＯＭなどの内部メモリ、ハードディスク等の外部メモリによって、機能的に、全体の制御を行う制御部１０、商品ユーザ端末管理部１１、購入者情報管理部１２、商品情報管理部１３、購入者のクレジットカード情報管理部１４、金融機関サーバ２３との間で決済処理を行う決済処理部１５、任意数のユーザが所有する商品ユーザ端末２１における電子メールを管理する電子メール管理部１６を構成している。
【手続補正７】
【補正対象書類名】明細書
【補正対象項目名】００２３
【補正方法】変更
【補正の内容】
【００２３】
更に、前記管理サーバ２は、予め管理サーバ２のサイトＩＤ、パスワードを取得した商品ユーザ端末２１からの要求に応じて、トップページ、商品情報入力用のリンク作成ページ及びクレジット決済画面リンク用のリンク情報であるＵＲＬを生成するＵＲＬ生成プログラムを前記商品ユーザ端末２１に送信するようになっている。
【手続補正８】
【補正対象書類名】明細書
【補正対象項目名】００２８
【補正方法】変更
【補正の内容】
【００２８】
また、このとき、クレジット決済画面リンク用のリンク情報であるＵＲＬを生成するＵＲＬ生成プログラムが管理サーバ２から商品ユーザ端末２１に送信される。
【手続補正９】
【補正対象書類名】明細書
【補正対象項目名】００３２
【補正方法】変更
【補正の内容】
【００３２】
また、当該商品ユーザはＵＲＬが付されたメール本文欄に、更に商品情報を付して図８に示す態様の電子メールを商品ユーザ端末２１により当該購入者端末２２宛に送信する。
【手続補正１０】
【補正対象書類名】明細書
【補正対象項目名】００４８
【補正方法】変更
【補正の内容】
【００４８】
また、このとき、クレジット決済画面リンク用のリンク情報であるＵＲＬを生成するＵＲＬ生成プログラムがウェブログ管理サーバ４２からウェブログ利用商品ユーザ端末４１に送信される。
【手続補正１１】
【補正対象書類名】明細書
【補正対象項目名】００４９
【補正方法】変更
【補正の内容】
【００４９】
当該商品ユーザは、図１４に示すリンク作成画面において、「商品ＩＤ」の欄には独自に管理番号を付け、「商品名」の欄には例えばパソコン等のような商品名を入力し、「金額」の欄には商品代金を入力し、更に、「有効期限」の欄に決済用ＵＲＬの有効期限を設定する。
【手続補正１２】
【補正対象書類名】特許請求の範囲
【補正対象項目名】全文
【補正方法】変更
【補正の内容】
【特許請求の範囲】
【請求項１】
任意数のユーザ用の電子メールを管理する管理サーバと、管理サーバによる管理の下に電子メールにて購入者に商品案内を行う商品ユーザ端末と、前記電子メールに掲載されている商品を購入する購入者が利用する購入者端末と、購入者に対する商品代金決済を行う金融機関サーバと、これらを接続する通信ネットワークとを有する通信ネットワークを利用したクレジット決済システムであって、
前記管理サーバは、前記商品ユーザ端末からの要求に応じて、トップページ、商品情報入力用のリンク作成ページ及びクレジット決済画面リンク用のリンク情報生成プログラムを前記商品ユーザ端末に送信し、
前記商品ユーザ端末は、商品ユーザが、商品ユーザ端末自体のメール機能を利用してメール本文欄に管理サーバから送信されたリンク情報生成プログラムにより生成したクレジット決済画面リンク用のリンク情報を貼り付けるとともに、メール本文欄に商品情報を付すことにより作成した電子メールを購入者端末に送信し、
前記購入者端末は、商品ユーザ端末から送信された商品情報を含んだ電子メールから商品を選択し前記リンク情報をクリックすることで、クレジット決済画面を表示させ、クレジットカード情報の入力により、前記金融機関サーバに対する当該商品の決済処理を行うように構成したこと、
を特徴とする通信ネットワークを利用したクレジット決済システム。
【請求項２】
任意数のユーザ用の電子メールを管理する管理サーバと、管理サーバによる管理の下に電子メールにて購入者に商品案内を行う商品ユーザ端末と、前記電子メールに掲載されている商品を購入する購入者が利用する購入者端末と、購入者に対する商品代金決済を行う金融機関サーバと、これらを接続する通信ネットワークとを有する通信ネットワークを利用したクレジット決済システムであって、
前記管理サーバは、前記商品ユーザ端末からの要求に応じて、トップページ、商品情報入力用のリンク作成ページ及びクレジット決済画面リンク用のＵＲＬ生成プログラムを前記商品ユーザ端末に送信し、
前記商品ユーザ端末は、商品ユーザが、商品ユーザ端末自体のメール機能を利用してメール本文欄に管理サーバから送信されたＵＲＬ生成プログラムにより生成したクレジット決済画面リンク用のＵＲＬを貼り付けるとともに、メール本文欄に商品情報を付すことにより作成した電子メールを購入者端末に送信し、
前記購入者端末は、商品ユーザ端末から送信された商品情報を含んだ電子メールから商品を選択し前記ＵＲＬをクリックすることで、クレジット決済画面を表示させ、クレジットカード情報の入力により、前記金融機関サーバに対する当該商品の決済処理を行うように構成したこと、
を特徴とする通信ネットワークを利用したクレジット決済システム。
【請求項３】
任意数のユーザ用の電子メールを管理する管理サーバと、管理サーバによる管理の下に電子メールにて購入者に商品案内を行う商品ユーザ端末と、前記電子メールに掲載されている商品を購入する購入者が利用する購入者端末と、購入者に対する商品代金決済を行う金融機関サーバと、これらを接続する通信ネットワークとを有する通信ネットワークを利用したクレジット決済システム用のプログラムであって、
前記管理サーバに、商品ユーザ端末からの要求に応じて、トップページ、商品情報入力用のリンク作成ページ及びクレジット決済画面リンク用のＵＲＬ生成プログラムを送信する処理を実行させ、
前記商品ユーザ端末に、商品ユーザが、商品ユーザ端末自体のメール機能を利用してメール本文欄に管理サーバから送信されたＵＲＬ生成プログラムにより生成したクレジット決済画面リンク用のＵＲＬを貼り付けるとともに、メール本文欄に商品情報を付すことにより作成した電子メールを購入者端末に送信する処理を実行させ、
前記購入者端末に、商品ユーザ端末から送信された商品情報を含んだ電子メールから商品を選択し前記ＵＲＬをクリックすることで、クレジット決済画面を表示させる処理を実行させること、
を特徴とする通信ネットワークを利用したクレジット決済システム用のプログラム。
【請求項４】
任意数のユーザ用のウェブログを管理するウェブログ管理サーバと、管理サーバによる管理の下に商品情報を含んだウェブログを掲載するウェブログ利用商品ユーザ端末と、前記ウェブログに掲載されている商品を購入する購入者が利用する購入者端末と、購入者に対する商品代金決済を行う金融機関サーバと、これらを接続する通信ネットワークとを有する通信ネットワークを利用したクレジット決済システムであって、
前記ウェブログ管理サーバは、前記ウェブログ利用商品ユーザ端末からの要求に応じて、ウェブログトップページ、商品情報入力用のリンク作成ページ及びクレジット決済画面リンク用のリンク情報生成プログラムを前記ウェブログ利用商品ユーザ端末に送信し、
前記ウェブログ利用商品ユーザ端末は、ウェブログ管理サーバから送信されたリンク作成ページに商品ユーザにより入力される商品情報と、リンク情報生成プログラムにより生成されるクレジット決済画面リンク用のリンク情報の商品ユーザによるブログの管理画面へのコピー・ペーストとに基づき、商品情報とリンク情報にリンクする購入ボタンとを同一画面に含めたウェブログに更新し、
前記購入者端末は、ウェブログ利用商品ユーザ端末が提供する商品情報を含んだウェブログから商品を選択し購入ボタンを押すことで、クレジット決済画面を表示させクレジットカード情報の入力により、前記金融機関サーバに対する当該商品の決済処理を行うように構成したこと、
を特徴とする通信ネットワークを利用したクレジット決済システム。
【請求項５】
任意数のユーザ用のウェブログを管理するウェブログ管理サーバと、管理サーバによる管理の下に商品情報を含んだウェブログを掲載するウェブログ利用商品ユーザ端末と、前記ウェブログに掲載されている商品を購入する購入者が利用する購入者端末と、購入者に対する商品代金決済を行う金融機関サーバと、これらを接続する通信ネットワークとを有する通信ネットワークを利用したクレジット決済システムであって、
前記ウェブログ管理サーバは、前記ウェブログ利用商品ユーザ端末からの要求に応じて、ウェブログトップページ、商品情報入力用のリンク作成ページ及びクレジット決済画面リンク用のＵＲＬ生成プログラムを前記ウェブログ利用商品ユーザ端末に送信し、
前記ウェブログ利用商品ユーザ端末は、ウェブログ管理サーバから送信されたリンク作成ページに商品ユーザにより入力される商品情報と、ＵＲＬ生成プログラムにより生成されるクレジット決済画面リンク用のＵＲＬの商品ユーザによるブログの管理画面へのコピー・ペーストとに基づき、商品情報とＵＲＬにリンクする購入ボタンとを同一画面に含めたウェブログに更新し、
前記購入者端末は、ウェブログ利用商品ユーザ端末が提供する商品情報を含んだウェブログから商品を選択し購入ボタンを押すことで、クレジット決済画面を表示させクレジットカード情報の入力により、前記金融機関サーバに対する当該商品の決済処理を行うように構成したこと、
を特徴とする通信ネットワークを利用したクレジット決済システム。
【請求項６】
任意数のユーザ用のウェブログを管理するウェブログ管理サーバと、管理サーバによる管理の下に商品情報を含んだウェブログを掲載するウェブログ利用商品ユーザ端末と、前記ウェブログに掲載されている商品を購入する購入者が利用する購入者端末と、購入者に対する商品代金決済を行う金融機関サーバと、これらを接続する通信ネットワークとを有する通信ネットワークを利用したクレジット決済システム用のプログラムであって、
前記ウェブログ管理サーバに、前記ウェブログ利用商品ユーザ端末からの要求に応じて、ウェブログトップページ、商品情報入力用のリンク作成ページ及びクレジット決済画面リンク用のＵＲＬ生成プログラムを送信する処理を実行させ、
前記ウェブログ利用商品ユーザ端末に、ウェブログ管理サーバから送信されたリンク作成ページに商品ユーザにより入力される商品情報と、ＵＲＬ生成プログラムにより生成されるクレジット決済画面リンク用のＵＴＲＬの商品ユーザによるブログの管理画面へのコピー・ペーストとに基づき、商品情報とＵＲＬにリンクする購入ボタンとを同一画面に含めたウェブログに更新する処理を実行させ、
前記購入者端末に、ウェブログ利用商品ユーザ端末が提供する商品情報を含んだウェブログから商品を選択し購入ボタンを押すことで、クレジット決済画面を表示させる処理を実行させること、
を特徴とする通信ネットワークを利用したクレジット決済システム用のプログラム。
【手続補正書】
【提出日】平成22年6月30日(2010.6.30)
【手続補正１】
【補正対象書類名】明細書
【補正対象項目名】００１０
【補正方法】変更
【補正の内容】
【００１０】
本発明に係る通信ネットワークを利用したクレジット決済システムは、任意数のユーザ用の電子メールを管理する管理サーバと、管理サーバによる管理の下に電子メールにて購入者に商品案内を行う商品ユーザ端末と、前記電子メールに掲載されている商品を購入する購入者が利用する購入者端末と、購入者に対する商品代金決済を行う金融機関サーバと、これらを接続する通信ネットワークとを有する通信ネットワークを利用したクレジット決済システムであって、前記管理サーバは、前記商品ユーザ端末からの要求に応じて、トップページ、商品情報入力用のリンク作成ページ及びクレジット決済画面リンク用のリンク情報生成プログラムを前記商品ユーザ端末に送信し、前記商品ユーザ端末は、商品ユーザが、商品ユーザ端末自体のメール機能を利用してメール本文欄に管理サーバから送信されたリンク情報生成プログラムにより生成したクレジット決済画面リンク用のリンク情報を貼り付けるとともに、メール本文欄に商品情報を付すことにより作成した電子メールを購入者端末に送信し、前記購入者端末は、商品ユーザ端末から送信された商品情報及び前記リンク情報を含んだ電子メールから商品を選択し前記リンク情報をクリックすることで、クレジット決済画面を表示させ、クレジットカード情報の入力により、前記金融機関サーバに対する当該商品の決済処理を行うように構成したこと、を最も主要な特徴とする。
【手続補正２】
【補正対象書類名】明細書
【補正対象項目名】００１６
【補正方法】変更
【補正の内容】
【００１６】
本発明は、商品販売者側で商品情報を入力すると同時にクレジット決済画面リンク用のリンク情報であるＵＲＬを自動生成させ、電子メールにて購入者へ送信することで、購入者によるクレジットカードによる商品購入代金の決済処理の簡略容易化を実現するネットワークを利用したクレジット決済システムを実現し提供するという目的を、任意数のユーザ用の電子メールを管理する管理サーバと、管理サーバによる管理の下に電子メールにて購入者に商品案内を行う商品ユーザ端末と、前記電子メールに掲載されている商品を購入する購入者が利用する購入者端末と、購入者に対する商品代金決済を行う金融機関サーバと、これらを接続する通信ネットワークとを有する通信ネットワークを利用したクレジット決済システムであって、前記管理サーバは、前記商品ユーザ端末からの要求に応じて、トップページ、商品情報入力用のリンク作成ページ及びクレジット決済画面リンク用のＵＲＬ生成プログラムを前記商品ユーザ端末に送信し、前記商品ユーザ端末は、商品ユーザが、商品ユーザ端末自体のメール機能を利用してメール本文欄に管理サーバから送信されたＵＲＬ生成プログラムにより生成したクレジット決済画面リンク用のＵＲＬを貼り付けるとともに、メール本文欄に商品情報を付すことにより作成した電子メールを購入者端末に送信し、前記購入者端末は、商品ユーザ端末から送信された商品情報及び前記ＵＲＬを含んだ電子メールから商品を選択し前記ＵＲＬをクリックすることで、クレジット決済画面を表示させ、クレジットカード情報の入力により、前記金融機関サーバに対する当該商品の決済処理を行うように構成したことにより実現した。
【手続補正３】
【補正対象書類名】特許請求の範囲
【補正対象項目名】全文
【補正方法】変更
【補正の内容】
【特許請求の範囲】
【請求項１】
任意数のユーザ用の電子メールを管理する管理サーバと、管理サーバによる管理の下に電子メールにて購入者に商品案内を行う商品ユーザ端末と、前記電子メールに掲載されている商品を購入する購入者が利用する購入者端末と、購入者に対する商品代金決済を行う金融機関サーバと、これらを接続する通信ネットワークとを有する通信ネットワークを利用したクレジット決済システムであって、
前記管理サーバは、前記商品ユーザ端末からの要求に応じて、トップページ、商品情報入力用のリンク作成ページ及びクレジット決済画面リンク用のリンク情報生成プログラムを前記商品ユーザ端末に送信し、
前記商品ユーザ端末は、商品ユーザが、商品ユーザ端末自体のメール機能を利用してメール本文欄に管理サーバから送信されたリンク情報生成プログラムにより生成したクレジット決済画面リンク用のリンク情報を貼り付けるとともに、メール本文欄に商品情報を付すことにより作成した電子メールを購入者端末に送信し、
前記購入者端末は、商品ユーザ端末から送信された商品情報及び前記リンク情報を含んだ電子メールから商品を選択し前記リンク情報をクリックすることで、クレジット決済画面を表示させ、クレジットカード情報の入力により、前記金融機関サーバに対する当該商品の決済処理を行うように構成したこと、
を特徴とする通信ネットワークを利用したクレジット決済システム。
【請求項２】
任意数のユーザ用の電子メールを管理する管理サーバと、管理サーバによる管理の下に電子メールにて購入者に商品案内を行う商品ユーザ端末と、前記電子メールに掲載されている商品を購入する購入者が利用する購入者端末と、購入者に対する商品代金決済を行う金融機関サーバと、これらを接続する通信ネットワークとを有する通信ネットワークを利用したクレジット決済システムであって、
前記管理サーバは、前記商品ユーザ端末からの要求に応じて、トップページ、商品情報入力用のリンク作成ページ及びクレジット決済画面リンク用のＵＲＬ生成プログラムを前記商品ユーザ端末に送信し、
前記商品ユーザ端末は、商品ユーザが、商品ユーザ端末自体のメール機能を利用してメール本文欄に管理サーバから送信されたＵＲＬ生成プログラムにより生成したクレジット決済画面リンク用のＵＲＬを貼り付けるとともに、メール本文欄に商品情報を付すことにより作成した電子メールを購入者端末に送信し、
前記購入者端末は、商品ユーザ端末から送信された商品情報及び前記ＵＲＬを含んだ電子メールから商品を選択し前記ＵＲＬをクリックすることで、クレジット決済画面を表示させ、クレジットカード情報の入力により、前記金融機関サーバに対する当該商品の決済処理を行うように構成したこと、
を特徴とする通信ネットワークを利用したクレジット決済システム。
【請求項３】
任意数のユーザ用の電子メールを管理する管理サーバと、管理サーバによる管理の下に電子メールにて購入者に商品案内を行う商品ユーザ端末と、前記電子メールに掲載されている商品を購入する購入者が利用する購入者端末と、購入者に対する商品代金決済を行う金融機関サーバと、これらを接続する通信ネットワークとを有する通信ネットワークを利用したクレジット決済システム用のプログラムであって、
前記管理サーバに、商品ユーザ端末からの要求に応じて、トップページ、商品情報入力用のリンク作成ページ及びクレジット決済画面リンク用のＵＲＬ生成プログラムを送信する処理を実行させ、
前記商品ユーザ端末に、商品ユーザが、商品ユーザ端末自体のメール機能を利用してメール本文欄に管理サーバから送信されたＵＲＬ生成プログラムにより生成したクレジット決済画面リンク用のＵＲＬを貼り付けるとともに、メール本文欄に商品情報を付すことにより作成した電子メールを購入者端末に送信する処理を実行させ、
前記購入者端末に、商品ユーザ端末から送信された商品情報及び前記ＵＲＬを含んだ電子メールから商品を選択し前記ＵＲＬをクリックすることで、クレジット決済画面を表示させる処理を実行させること、
を特徴とする通信ネットワークを利用したクレジット決済システム用のプログラム。
【請求項４】
任意数のユーザ用のウェブログを管理するウェブログ管理サーバと、管理サーバによる管理の下に商品情報を含んだウェブログを掲載するウェブログ利用商品ユーザ端末と、前記ウェブログに掲載されている商品を購入する購入者が利用する購入者端末と、購入者に対する商品代金決済を行う金融機関サーバと、これらを接続する通信ネットワークとを有する通信ネットワークを利用したクレジット決済システムであって、
前記ウェブログ管理サーバは、前記ウェブログ利用商品ユーザ端末からの要求に応じて、ウェブログトップページ、商品情報入力用のリンク作成ページ及びクレジット決済画面リンク用のリンク情報生成プログラムを前記ウェブログ利用商品ユーザ端末に送信し、
前記ウェブログ利用商品ユーザ端末は、ウェブログ管理サーバから送信されたリンク作成ページに商品ユーザにより入力される商品情報と、リンク情報生成プログラムにより生成されるクレジット決済画面リンク用のリンク情報の商品ユーザによるブログの管理画面へのコピー・ペーストとに基づき、商品情報とリンク情報にリンクする購入ボタンとを同一画面に含めたウェブログに更新し、
前記購入者端末は、ウェブログ利用商品ユーザ端末が提供する商品情報及び前記購入ボタンを含んだウェブログから商品を選択し購入ボタンを押すことで、クレジット決済画面を表示させクレジットカード情報の入力により、前記金融機関サーバに対する当該商品の決済処理を行うように構成したこと、
を特徴とする通信ネットワークを利用したクレジット決済システム。
【請求項５】
任意数のユーザ用のウェブログを管理するウェブログ管理サーバと、管理サーバによる管理の下に商品情報を含んだウェブログを掲載するウェブログ利用商品ユーザ端末と、前記ウェブログに掲載されている商品を購入する購入者が利用する購入者端末と、購入者に対する商品代金決済を行う金融機関サーバと、これらを接続する通信ネットワークとを有する通信ネットワークを利用したクレジット決済システムであって、
前記ウェブログ管理サーバは、前記ウェブログ利用商品ユーザ端末からの要求に応じて、ウェブログトップページ、商品情報入力用のリンク作成ページ及びクレジット決済画面リンク用のＵＲＬ生成プログラムを前記ウェブログ利用商品ユーザ端末に送信し、
前記ウェブログ利用商品ユーザ端末は、ウェブログ管理サーバから送信されたリンク作成ページに商品ユーザにより入力される商品情報と、ＵＲＬ生成プログラムにより生成されるクレジット決済画面リンク用のＵＲＬの商品ユーザによるブログの管理画面へのコピー・ペーストとに基づき、商品情報とＵＲＬにリンクする購入ボタンとを同一画面に含めたウェブログに更新し、
前記購入者端末は、ウェブログ利用商品ユーザ端末が提供する商品情報及び前記購入ボタンを含んだウェブログから商品を選択し購入ボタンを押すことで、クレジット決済画面を表示させクレジットカード情報の入力により、前記金融機関サーバに対する当該商品の決済処理を行うように構成したこと、
を特徴とする通信ネットワークを利用したクレジット決済システム。
【請求項６】
任意数のユーザ用のウェブログを管理するウェブログ管理サーバと、管理サーバによる管理の下に商品情報を含んだウェブログを掲載するウェブログ利用商品ユーザ端末と、前記ウェブログに掲載されている商品を購入する購入者が利用する購入者端末と、購入者に対する商品代金決済を行う金融機関サーバと、これらを接続する通信ネットワークとを有する通信ネットワークを利用したクレジット決済システム用のプログラムであって、
前記ウェブログ管理サーバに、前記ウェブログ利用商品ユーザ端末からの要求に応じて、ウェブログトップページ、商品情報入力用のリンク作成ページ及びクレジット決済画面リンク用のＵＲＬ生成プログラムを送信する処理を実行させ、
前記ウェブログ利用商品ユーザ端末に、ウェブログ管理サーバから送信されたリンク作成ページに商品ユーザにより入力される商品情報と、ＵＲＬ生成プログラムにより生成されるクレジット決済画面リンク用のＵＴＲＬの商品ユーザによるブログの管理画面へのコピー・ペーストとに基づき、商品情報とＵＲＬにリンクする購入ボタンとを同一画面に含めたウェブログに更新する処理を実行させ、
前記購入者端末に、ウェブログ利用商品ユーザ端末が提供する商品情報及び前記購入ボタンを含んだウェブログから商品を選択し購入ボタンを押すことで、クレジット決済画面を表示させる処理を実行させること、
を特徴とする通信ネットワークを利用したクレジット決済システム用のプログラム。